(57)【特許請求の範囲】
【請求項１】
車輪用タイヤを組み立てる方法であって、
−幾何学的回転軸を１つのみ備える一次ドラム（１３）上に、互いに軸方向に離間配置された環状固定構造（７）と係合する少なくとも１つのカーカスプライ（１０）を備えるカーカス構造（３）を配置するステップと、
−少なくとも１つのベルト層（１１ａ、１１ｂ、１２）を含むベルト構造（４）を、前記一次ドラム（１３）に対して同軸の関係に配置された補助ドラム（１５）上に配置するステップと、
−前記ベルト構造（４）を前記補助ドラム（１５）から取り上げて、前記カーカス構造（３）に対して同軸中心位置に前記ベルト構造（４）を移送するステップと、
−トレッドバンド（５）を前記ベルト構造（４）上に付加するステップであって、前記トレッドバンド（５）の付加が、エラストマー材料の連続ストリップ状要素の少なくとも１つを前記ベルト構造（４）の周囲に連続する周方向コイル状に巻くことにより行なわれるステップとを含み、
前記トレッドバンド（５）の付加が、前記ベルト構造（４）を前記補助ドラム（１５）から取り外す前に行なわれ、
前記ベルト構造（４）の形成後、および前記連続ストリップ状要素の付加を行う前に、前記補助ドラム（１５）を、前記一次ドラム（１３）の前記幾何学的回転軸を含む鉛直面から離れて、前記連続ストリップ状要素を供給する前記供給部材（１８、１８ａ）方向に移動させるステップが、前記ベルト構造の付加のためのデバイス（１６）によって前記ベルト構造の付加が可能な、前記一次ドラム（１３）に対して同軸の関係にある位置から開始して行なわれ、
更に、前記トレッドバンド（５）の付加が完了すると、前記補助ドラム（１５）を、前記供給部材（１８、１８ａ）から離れて、前記一次ドラム（１３）に対して同軸の関係にある位置に再び移動させるステップを含む、方法。
【請求項２】
前記連続ストリップ状要素が、前記ベルト構造（４）付近の領域に配置された前記供給部材（１８、１８ａ）から供給され、同時に前記ベルト構造（４）周囲に前記ストリップ状要素自体が巻かれる、請求項１に記載の方法。
【請求項３】
前記連続ストリップ状要素の供給が、前記供給部材（１８、１８ａ）から押し出すことにより行なわれる、請求項２に記載の方法。
【請求項４】
前記連続ストリップ状要素の付加と同時に、
−前記補助ドラム（１５）の幾何学的回転軸の周囲で、前記補助ドラム（１５）に周方向分配回転運動を与え、その結果、前記連続ストリップ状要素を前記ベルト構造（４）の周囲に分配するステップと、
−前記トレッドバンド（５）を画定するために、前記ストリップ状要素を用いて、互いに並んで配置された複数のコイルを形成するように、前記補助ドラム（１５）と供給部材（１８、１８ａ）との間で制御された相対的な横断方向分配変位を行うステップとを行なう、請求項１に記載の方法。
【請求項５】
前記横断方向分配変位が、前記補助ドラム（１５）の移動により行なわれる、請求項４に記載の方法。
【請求項６】
前記補助ドラム（１５）の回転および移動が、前記補助ドラム自体に係合する作動組立体（１９ａ）により行なわれる、請求項４に記載の方法。
【請求項７】
前記カーカス構造（３）を配置するステップが、前記カーカス構造自体の構成部品を前記一次ドラム（１３）上に組み立てることにより行なわれる、請求項１に記載の方法。
【請求項８】
前記カーカス構造（３）上の同軸中心位置に移送された前記ベルト構造（４）が、カーカス構造（３）自体をトロイダル構成に賦形するステップの後に、前記カーカス構造と結合される、請求項１に記載の方法。
【請求項９】
車輪用タイヤ組み立て装置であって、
−軸方向に互いに離間配置された固定構造（７）と係合する少なくとも１つのカーカスプライ（１０）を含むカーカス構造（３）を支持するように構成された、幾何学的回転軸を１つのみ備える一次ドラム（１３）と、
−ベルト構造（４）を支持するように取り付けられた補助ドラム（１５）と、
−前記ベルト構造（４）を形成するために、前記一次ドラム（１３）に対して同軸の関係に配置された前記補助ドラム（１５）上にベルト層を付加するデバイス（１６）と、
−トレッドバンド（５）を前記ベルト構造（４）上に付加するための少なくとも１つのユニット（１７）と、
−前記ベルト構造（４）を前記補助ドラム（１５）から前記一次ドラム（１３）に移動させるための移送部材（２８）とを含み、
少なくとも１つの前記付加ユニット（１７）が、エラストマー材料の連続ストリップ状要素の少なくとも１つを連続する周方向コイル状に前記ベルト構造（４）上に配置するための少なくとも１つの供給部材（１８、１８ａ）と、
前記付加ユニット（１７）が、前記ストリップ状要素が前記ベルト構造（４）上に周方向に分配されるように、前記補助ドラム（１５）の幾何学軸の周囲で、前記補助ドラム（１５）を回転駆動させるように取り付けられた作動組立体（１９）であって、前記トレッドバンド（５）を画定するために、相互に並んで配置された前記コイルを形成するように前記ストリップ状要素を分配するための、前記補助ドラム（１５）と前記少なくとも１つの供給部材（１８、１８ａ）との間に制御された相対的変位を生じさせる作動組立体（１９）とを含み、
前記作動組立体（１９）が、前記補助ドラム（１５）を、前記ベルト構造の付加のためのデバイス（１６）によって前記ベルト構造の付加が可能な、前記一次ドラム（１３）に対して同軸の関係にある位置から開始して、前記一次ドラム（１３）の前記幾何学的回転軸を含む鉛直面から離れて前記少なくとも１つの供給部材（１８、１８ａ）方向に移動させるように、そして、前記補助ドラム（１５）を、前記供給部材（１８、１８ａ）から離れて前記一次ドラム（１３）に対して同軸の関係にある位置に再び移動させるように配置される、装置。
【請求項１０】
前記供給部材が少なくとも１つの押出機（１８、１８ａ）を備える、請求項９に記載の装置。
【請求項１１】
前記作動組立体（１９）が前記補助ドラム（１５）上で動作して、前記補助ドラム（１５）を前記供給部材（１８、１８ａ）に対して移動させる、請求項９に記載の装置。
【請求項１２】
前記作動組立体が、前記補助ドラム（１５）に係合するロボット化アーム（１９ａ）に組み込まれる、請求項９に記載の装置。
【請求項１３】
前記作動組立体（１９）が、案内構造（２７）に沿って、前記補助ドラム（１５）を前記ベルト構造の付加デバイス（１６）の前面の位置に支持する第１位置と、前記補助ドラム（１５）を前記少なくとも１つの供給部材（１８、１８ａ）の前面の位置に支持する第２位置との間で、移動可能なキャリッジ（１９ｂ）を備える、請求項９に記載の装置。
【発明の詳細な説明】
【発明の開示】
【０００１】
説明
本発明は、車輪用タイヤを組み立てる方法に関する。本発明は、上記の組み立て方法を実践するために使用される車両タイヤを組み立てるための装置にも関する。
【０００２】
車輪用タイヤは、一般に、少なくとも１つのカーカスプライを含むカーカス構造であって、かかるカーカスプライは、環状固定構造の周囲にループ状に折り返されたそれぞれ対向する端部フラップを有し、各々の前記固定構造は、通常、実質的に周方向環状挿入物から製造され、該挿入物上には、少なくとも１つの充填挿入物が半径方向外側位置に付加される、カーカス構造を備える。
【０００３】
カーカス構造には、１つまたは複数のベルト層を備えるベルト構造が結合される。このベルト層は、互いに対して、かつカーカスプライに対して半径方向に重畳して配置され、交差する方位および／またはタイヤの周方向延在方向に実質的に平行に配置される織布または金属補強コードを有する。ベルト構造の半径方向外側位置には、タイヤの構成部品である他の半完成品と同様にエラストマー材料から製造されるトレッドバンドが付加される。
【０００４】
本明細書の目的上、「エラストマー材料」という用語は、全体としてゴムブレンド、つまり、補強充填剤および／または様々なタイプのプロセス添加剤と適切に混合された（amalgamated）少なくとも１種類のベースポリマーから製造される化合物を意味すると指摘することができる。
【０００５】
さらに、エラストマー材料の各側壁もカーカス構造の側面に付加される。各側壁は、トレッドバンドの側縁の一方から、ビードにある各環状固定構造付近まで延在し、異なる実施形態に応じて、トレッドバンドの側縁に重畳して、一般に「上にある側壁」と呼ばれるタイプの設計スキーマを構成するか、または「下にある側壁」と呼ばれるタイプの設計スキーマでは、カーカス構造とトレッドバンド自体の側縁との間に挿置される、個々の半径方向末端縁部を呈することが可能である。
【０００６】
公知の殆どのタイヤ製造プロセスでは、カーカス構造およびベルト構造は、個々のトレッドバンドと共に、個々のワークステーションで互いに別個に製造され、その後、一緒に組み立てるように提供される。
【０００７】
詳細には、カーカス構造の製造は、先ず、カーカスプライを、通常「構築ドラム」と呼ばれる第１ドラム上に堆積（contemplates deposition）し、円筒状スリーブを形成する。ビードの環状固定構造は、カーカスプライの対向する端部フラップ上に取り付けられるかまたは形成され、次に、端部フラップは前記環状構造自体の周囲に折り返されて、環状構造をループ状に囲む。
【０００８】
同時に、外側スリーブは、第２ドラムまたは補助ドラム上に製造され、前記スリーブは、互いに半径方向に重畳された関係で置かれたベルト層と、ベルト層上の半径方向外側位置に付加されたトレッドバンドとを備える。次に、外側スリーブを補助ドラムから取り外して、カーカススリーブに結合する。外側スリーブは、この目的上、カーカススリーブの周囲に同軸状に配置され、次に、カーカスプライは、ビードを軸方向に互いの方向に接近するように移動させ、同時に圧力下の流体をカーカススリーブ内に導入することによりトロイダル構成に賦形されて、ベルトバンドおよびトレッドバンドをタイヤのカーカス構造上の半径方向外側位置に付加することを決定する。カーカススリーブおよび外側スリーブの組み立ては、カーカススリーブの構築に使用する同じドラム上で行なわれ、この場合、「１段階構築プロセス」と呼ぶ。このタイヤの構築プロセスは、たとえば米国特許第３，９９０，９３１号明細書に記載されている。
【０００９】
別法によると、組み立ては、いわゆる「賦形ドラム」上で行なわれ、このドラム上には、カーカススリーブおよび外側スリーブが移送され、たとえば欧州特許第０ ６１３ ７５７号明細書に記載されているように、いわゆる「２段階構築プロセス」でタイヤを構築する。
【００１０】
従来の組み立て方法では、トレッドバンドは、一般に、連続的に押し出された部分部材から得られる。かかる部分部材は、冷却して幾何学的形態を安定させた後、適切なベンチまたはリール上に保管される。次に、部分または連続ストリップの形態の半完成品は供給ユニットに搬送され、供給ユニットは、部分を取り出すか、または連続ストリップを所定の長さの部分に切断し、これらの各々は、加工されるタイヤのベルト構造上に周方向に付加されるトレッドバンドを形成する。
【００１１】
英国特許第１，０４８，２４１号明細書に、様々な厚さのエラストマー材料層をタイヤのカーカス上に置くための機械であって、エラストマー材料のリボンをカーカスに付加するための供給ヘッドと、カーカスをカーカスの軸の周囲で回転させて、カーカスが供給ヘッドに対して回転する時に、複数のコイルをカーカス上に巻き付けるための手段と、供給ヘッドをカーカスの横断方向に、カーカスの周方向正中面における一方の側面から他方の側面に移動させるための手段と、巻付け回転ごとの横断方向移動量を自動的に変化させて、連続コイルの重複程度を変更し、その結果、カーカス上に形成される層の厚さを変更するための手段とを備える機械が記述されている。新しいタイヤの製造に適するバージョンでは、トレッドバンドの形成時に、カーカスは構築ドラム上に実装されて、円筒状の正しい形態を有する。
【００１２】
本願と同一の出願人名義の文献ＷＯ０１／３６１８５では、ロボット化アーム（robotized arm）は、製造中のタイヤの各々の構成部品がその上に直接製造されるトロイダルサポートを支持する。ロボット化アームは、エラストマー材料の細いストリップを供給する供給部材の前面における制御された横断方向分配変位（transverse-distributiondisplacements）と同時に、トロイダルサポートの幾何学軸の周囲の周方向分配運動（circumferential-distribution motion）をトロイダルサポートに与える。したがって、細いストリップは複数のコイルを形成し、コイルの向きおよび相互重畳パラメーターは、予め決められて電子コンピュータ上に事前に設定された堆積計画（depositionscheme）に基づいて、製造されるタイヤの構成部品に与えられる厚さの変動を制御するように、適切に管理される。
【００１３】
本発明（半完成品の製造および保管、並びにその後、半完成品を構築および／または賦形ドラム上に組み立てることを意図する）が、トレッドバンドおよび側壁を製造するために対処する製造問題では、現在、大規模において経済性の点で適切な反応を提供するために、必然的に高い生産力（productivity）を有する押出しラインの導入が必要とされている。したがって、押出しラインは、通常、複数の組み立てステーションを有する。実際、押出しラインの生産力は、組み立てステーションの生産力に比例して調節する必要があり、組み立てステーションの数は押出しラインの飽和状態、ひいては生産力に影響を与える。
【００１４】
本発明によると、本願特許出願人は、上記の状況により課せられる強度の制約を克服することを意図している。こうした制約は、生産力および製品類型の観点から、市場における需要の突然の変動に応じて、生産プラントを変更することが不可能であるという点を、特に明らかにする。特に、プラントの生産力は、トレッドバンド押出しラインの生産力に大きく関連があるため、生産力の増加は、通常、さらにトレッドバンドおよび／または側壁押出しラインを設置することを必要とし、その結果、この時点では実際の市場需要に対して過剰であると思われる生産能力の増加が生じる。
【００１５】
上記の問題に対処するに当たり、本願特許出願人は、連続ストリップ状の要素を、ベルト構造上に直接、並んで（in side by side relationship）配置されたコイル状に巻くことを通じて、半完成品の組み立てを意図する現在のタイヤ構築プロセスでトレッドバンドを製造することにより、製造融通性（productionflexibility）および製品の品質に関して多大な改善を達成する可能性に気づいた。
【００１６】
より詳細には、本発明の目的は、請求項１に基づく車輪用タイヤを組み立てる方法を提供することである。
【００１７】
本発明のさらに他の態様によると、上記の方法は、請求項９に基づく車輪用タイヤを組み立てるための装置により実施することができる。
【００１８】
その他の特徴および利点は、本発明による車輪用タイヤを組み立てるための方法および装置の、好ましいが、排他的ではない実施形態に関する詳細な説明からさらに明白になるであろう。
【００１９】
この説明は、非制限的な一例として与えられる添付の図面に関して、以下に記載する。
【００２０】
特に図１〜図２を参照すると、車輪用タイヤを組み立てるための装置であって、本発明による組み立て方法を実践するように構成された装置が、全体として参照符号１で示されている。
【００２１】
本発明は、全体として図３に２で示すタイプのタイヤを製造する方法を目的とする。かかるタイヤは、本質的に、実質的にトロイダル構成のカーカス構造３と、実質的に円筒状構成で、カーカス構造３の周囲に周方向に延在するベルト構造４と、ベルト構造４の周方向外側位置において、ベルト構造４に付加されるトレッドバンド５と、カーカス構造３の対向側部に側方に付加される１対の側壁６であって、各々がトレッドバンドの側縁から、カーカス構造自体の半径方向内縁付近まで延在する側壁６とを含む。
【００２２】
各々の側壁６は、半径方向外側端部尾部（radially external end tailpiece）６ａであって、図３に点線で示すように、通常「下にある側壁」として特定されるタイプの設計スキーマに従って、トレッドバンド５の末端により少なくとも部分的に被覆された尾部６ａを示すことができる。別法によると、側壁６の半径方向外側端部尾部６ａは、図３に実線で示すように、トレッドバンド５の対応する末端上に側方に重畳して、通常「上にある側壁」として特定されるタイプの設計スキーマを達成することもできる。
【００２３】
カーカス構造３は、１対の環状補強構造７を備え、この構造７は、通常「ビード」として特定される領域内に組み込まれ、各々の構造は、たとえば、実質的に周方向の環状挿入物８であって、通常「ビードコア」と呼ばれ、その半径方向外側位置にエラストマー充填物９を支持する挿入物８から構成される。
【００２４】
１つまたは複数のカーカスプライ１０の端部フラップ１０ａは、各々の環状固定構造の周囲に折り返され、前記プライは、タイヤ２の周方向延在部分を横断して延在する織布または金属コードを備え、こうしたコードは、２個の環状固定構造７の間にある予め決められた傾斜をたどるであろう。
【００２５】
次に、ベルト構造４は、１つまたは複数のベルト層１２ａ、１２ｂであって、タイヤの周方向延在部分に対して適切に傾斜し、それぞれ１つのベルト層と他のベルト層との間で交差する向きで傾斜する金属または織布のコードを含むベルト層と、ベルト層１２ａ、１２ｂの周囲に軸方向に並んで配置されたコイル状に周方向に巻かれた１つまたは複数のコードを含む任意の外側ベルト層１２ｃとを含む。
【００２６】
高耐荷重タイヤ、たとえばトラックおよび重量搬送車輌用タイヤの場合、ベルト構造は、異物が下にあるベルト層に入るのを防止するように適合された砂礫保護ストリップ（gravel-guard strip）（図示しない）をさらに含む。
【００２７】
側壁６およびトレッドバンド５の各々は、本質的に、適切な厚さの少なくとも１つのエラストマー材料層を備える。またトレッドバンド５には、適切な組成および適切な物理化学的特徴を有し、真のトレッドバンドと下にあるベルト構造４との間の接合部として作用する下地（substrate）が結合されてもよい。
【００２８】
カーカス構造３およびベルト構造４の個々の構成部品、たとえば、特に環状固定構造７、カーカスプライ１０、ベルト層１１ａ、１１ｂと、外側ベルト層１２を形成するように設計されたその他の任意の補強要素とは、先行の製造ステップで製造された半完成品の形態で装置１に供給され、互いに適切に組み立てることができる。
【００２９】
装置１は一次ドラム１３を備えるが、従来の何らかの方法で製造できるため、詳細には図示しない。一次ドラム１３上には、最初にカーカスプライ１０が巻かれる。前記プライは供給ライン１４から供給されて、前記ライン１４に沿って一次ドラム１３の周方向延在部分と相関する適切な長さの部分に切断された後、一次ドラム１３上に付加されて、いわゆる実質的に円筒状の「カーカススリーブ」を形成する。その後、環状固定構造７が、プライ１０の端部フラップ１０ａ上に取り付けられ、続いて、端部フラップ自体を折り返すことにより、折り返されたプライ１０により形成されるループに固定構造を係合させる。カーカススリーブにはタイヤの側壁６も付加される。かかる側壁６は、エラストマー材料の連続ストリップ状の半完成品を供給する少なくとも１つの個々の側壁供給ライン（図示しない）から供給される。かかるエラストマー材料の連続ストリップから、予め決められた長さの部分が切断され、前記長さは一次ドラム１３および得られるタイヤ２の周方向延在部分と相互に関連する。
【００３０】
別法によると、カーカス構造３の構成部品の組み立て、および任意に側壁６の組み立ては、別個に異なる構築ドラム上で行なうことができ、したがって、組み立てられたカーカススリーブは、その後一次ドラム１３上に移送される。
【００３１】
円筒状スリーブ状のカーカス構造３の構成部品を一次ドラム１３上に組み立てるか、または既に組み立てられたカーカス構造を一次ドラム１３に移送するのと同時に、ベルト構造４、および好ましくはトレッドバンド５も補助ドラム１５上に配置される。
【００３２】
詳細には、そのために、補助ドラム１５は、たとえば一次ドラム１３に対して同軸整列関係で、補助ドラム自体の上でベルト構造４の付加のためのデバイス１６と相互作用するように配置する。一例として、前記ベルト構造の付加のためのデバイス１６は、少なくとも１つの供給ライン１６ａを備え、連続ストリップの形態の半完成品はこのラインに沿って前方に移動し、前記ストリップは、補助ドラム１５の周方向延在部分に対応する長さの部分に切断され、同時に、対応するベルト層１１ａ、１１ｂが補助ドラム１５上で形成される。砂礫防止ストリップ１６ｂを供給するための供給ユニット、およびベルト構造上に付加されて、軸方向に連続する周方向コイルを形成する１つまたは複数の連続コード（図示しない）を供給するための供給ユニットは、ベルト層１６ａの供給ラインと結合する。
【００３３】
ベルト構造４の形成が完了したら、ベルト構造１６の付加のためのデバイスと相互作用する位置から開始して補助ドラム１５の移動が行なわれ、全体として１７で示す、トレッドバンドの付加のための少なくとも１つのユニットによる処置が行なわれる。
【００３４】
トレッドバンド付加ユニット１７は、エラストマー材料の連続ストリップ状要素の少なくとも１つを連続する周方向コイル状にベルト構造４上に置くように構成された少なくとも１つの供給部材１８を備える。詳細には、供給部材１８は、エラストマー材料の連続ストリップ状要素を、補助ドラム１５により支持されたベルト構造４に直接供給し、同時に、ストリップ状要素自体をベルト構造４の周囲に巻くように適合された、たとえば押出機、アプリケータローラ、または別の部材を備える。作動組立体（an actuating assembly）１９は、補助ドラム１５をその幾何学軸の周囲で回転駆動させるように、補助ドラム１５上で作動し、その結果、ストリップ状要素はベルト構造４上に周方向に分配される。同時に、作動組立体１９は、補助ドラム１５と供給部材１８との間の制御された相対的変位を実施して、ストリップ状要素を、相互に並んで配置されたコイル状に分配し、所望の厚さおよび幾何学的構成要件に基づくトレッドバンド５を形成する。
【００３５】
図１および図２に示す好ましい実施形態では、作動組立体１９は、端部ヘッド２０を支持する少なくとも１つのロボット化アーム１９ａ内に組み込まれ、これらのロボット化アームには、補助ドラム１５が、補助ドラム１５の幾何学軸と一致するシャンク１５ａにより、片持ち梁状に（in cantilevered fashion）固定される。図示の実施例では（図２参照）、ロボット化アーム１９ａは、固定プラットフォーム２２上の第１垂直軸周囲で回転する基部２１と、第２の好ましくは水平軸の周囲で揺動するように基部２１に接続された第１部分２３と、やはり好ましくは水平である第３の軸の周囲で揺動するように第１部分２３に接続された第２部分２４と、第３の揺動軸と直交する軸の周囲で、第２部分２４により回転可能に支持された第３部分２５とを備える。ロボット化アーム１９ａのヘッド２０は、その端部が、互いに対して垂直な第５および第６の揺動軸の周囲で揺動することが可能であるように第３部分に接続され、モータ２６により回転作動することが可能な補助ドラム１５を回転可能に支持する。
【００３６】
したがって、ロボット化アーム１９ａは、補助ドラム１５を支持し、製造サイクル全体で補助ドラム１５の運動を制御するように適合され、ベルト層１６ａ、１６ｂの供給ラインの前面で補助ドラム１５を回転駆動させて、ベルト層１６ａ、１６ｂを付加し、次に、トレッドバンド５を構成するように設計された連続ストリップ状要素の押出機１８の前面に補助ドラム１５を搬送する。トレッドバンド５を製造するために、下地の形成が必要な場合、こうした下地を構成するために設計された連続ストリップ状要素の形態を保っているエラストマー材料を供給するために、補助押出機１８ａが設けられる。この場合、補助ドラム１５は、下地を製造するために意図された補助押出機１８ａ方向に最初に移動され、次に、真のトレッドバンド５の製造のための押出機１８の方に移送される。
【００３７】
トレッドバンド５の製造時、各々の押出機１８、１８ａは一定位置を維持するが、補助ドラム１５は回転駆動され、ロボット化アーム１９ａにより、横断方向に適切に移動されて、連続ストリップ状要素を分配して、ベルト構造４上に適切な形状および厚さの層を形成する。各々の押出機１８、１８ａから供給される連続ストリップ状要素は、有利なことに平坦部分を有するため、連続するコイルの重複量、および／または押出機１８、１８ａからでてくるストリップ状要素の断面輪郭に対するベルト構造４の表面の向きを変えることにより、ベルト構造４上に形成されるエラストマー層の厚さを調節することが可能である。
【００３８】
トレッドバンド５の製造が完了すると、ロボット化アーム１９ａは、補助ドラム１５の新たな平行移動（translation）を実行し、補助ドラム１５を、押出機１８またはその他の供給部材から離れる方へ、再び一次ドラム１３に対して軸方向に整列する関係に配置するように、移動させる。
【００３９】
【００４０】
トレッドバンド５を支持するベルト構造４は、補助ドラム１５により取り上げられて、それまでに一次ドラム１３上に形成または係合した円筒状スリーブの形態で、カーカス構造上に移送されるように、適合される。このため、実質的に環状構成の移送部材２８は、ベルト構造４およびトレッドバンド５を補助ドラム１５から取り上げるために、補助ドラム１５の周囲に配置されるまで、移動される。それ自体公知の方法では、補助ドラム１５は、ベルト構造４を離脱させ、次に、ベルト構造４は、移送部材２８により軸方向に平行移動され、カーカススリーブを支持する一次ドラム１３上の同軸中心位置に配置される。
【００４１】
次に、カーカススリーブは、環状固定構造７を軸方向に互いに接近するように移動させ、同時に、圧力下の流体を前記スリーブ自体の内部に流入させて、カーカスプライを、移送部材２８により保持されるベルト構造４の内面と接触させることで、トロイダル構成に賦形される。このように構築されたタイヤ２は、それ自体が一次ドラム１３から取り外すのに役立ち、その後、通常の加硫処理ステップが行なわれる。
【００４２】
【００４３】
【００４４】
本発明は、重要な利点を達成する。
【００４５】
連続ストリップ状要素を並んで配置されたコイル状に巻くことにより、トレッドバンド５を製造すると、実際上、押出しによりトレッドバンドを製造するための複雑かつ嵩高い機械類の使用要件に関連する先行技術の制約のすべてが克服される。実際上、こうした複雑かつ嵩高い機械類の使用は、大量生産を行なわなければ正当化されない多額な投資およびランニングコストを必要とする。対照的に、本発明は、個々の組み立て装置１の生産力に比例して調節される製造に適する、非常に単純かつ比較的嵩高ではない機械類を使用して、トレッドバンドを製造することが可能である。
【００４６】
したがって、現在使用されており、同じトレッドバンド押出しラインと互いに連結する複数の組み立て装置を備えるタイヤ構築プラントは、本発明による１つまたは複数の装置を単に追加することで、市場が要求する生産性の増加に応じて有利に適合することができ、その結果、市場要件に適合する生産性の増加を達成することができる。
【００４７】
また、本発明は、トレッドバンドの優れた均一性（evenness）を達成することができることを認識するべきである。先行技術においては、この均一性は、ベルト構造の周囲に付加される生エラストマー材料のストリップの正確な分配、特にストリップ自体の末端の端部間接合部における分配により、大幅に調節されていた（conditioned）。
【００４８】
先行技術では、こうした状態により、多数の廃棄製品も生じるが、対照的に、本発明はこうした廃棄製品を減少させる。
【００４９】
さらに、質的な観点によるその他の利点は、公知のタイプの押出しラインと相互に連結するその他の装置と組み合わせて、参照の装置を使用する場合、従来の押出しラインに影響を与える。たとえば、当該装置と、１つまたは複数の従来の押出しラインを装備する公知のプラントとを結合すると、処理要件により、高速度で押し出すことができない特定のブレンドおよび材料を加工することが必要な場合、一方ではプラント全体の生産力を損なわずに、押出しラインの生産力を低下させることが可能である。さらに、押出しラインは、得られる製品の品質の不変性（constancy）に関してより多くの保証が得られる状態で、最大生産限度から適切な余裕を持って、有利に使用することができる。
【図面の簡単な説明】
【００５０】
【図１】本発明によるタイヤ組み立て装置の略上面図である。
【図２】図１の装置の立面図である。
【図３】本発明により得られるタイヤの略部分断面図である。
【図１】
0004761772.tif 000002
【図２】
0004761772.tif 000003
【図３】
0004761772.tif 000004